(57)【要約】【課題】機器端末の端末名称を自動で誤登録なく設定できる監視制御システムを提供する。【解決手段】操作端末１と、機器端末２と、コントローラ３と、からなる監視制御システムであって、操作端末１により生成された操作通知は、コントローラ３に送信されるとともに、無線信号として発信され、機器端末２は、前記操作端末１からの無線信号による前記操作通知を受信すると、前記コントローラ３に操作通知受信通知を送信し、コントローラ３は、前記操作端末１からの前記操作通知を受信し、当該受信から一定時間内に前記機器端末２からの前記操作通知受信通知を受信すると、前記操作通知受信通知を送信した前記機器端末２の場所名称データに、前記操作通知を送信した前記操作端末１のあらかじめ設定されていた場所名称データと同じデータを設定することを特徴とした。【選択図】図１
2010028421.tif 000002
【特許請求の範囲】
【請求項１】
操作端末と、機器端末と、コントローラと、からなる監視制御システムであって、
操作端末は、操作部と、中央演算部と、伝送部と、無線信号送信部と、を備え、
機器端末は、無線信号受信部と、中央演算部と、伝送部と、を備え、
コントローラは、中央演算部と、伝送部と、記憶手段と、を備え、当該記憶手段は、端末アドレスと、場所名称と機器名称とから成る端末名称と、を対応付けて記憶するものであり、
操作端末の操作部を操作することにより生成された操作通知は、当該操作端末の中央演算部を経て伝送部から、コントローラの伝送部に送信されるとともに、無線信号送信部から無線信号として発信され、
機器端末の中央演算部は、無線信号受信部により前記操作端末からの無線信号による前記操作通知を受信すると、伝送部を用いて、コントローラの伝送部に操作通知受信通知を送信し、
コントローラの中央演算部は、伝送部により、前記操作端末からの前記操作通知を受信し、当該受信から一定時間内に前記機器端末からの前記操作通知受信通知を受信すると、記憶手段において、前記操作通知受信通知を送信した前記機器端末の場所名称データに、前記操作通知を送信した前記操作端末のあらかじめ設定されていた場所名称データと同じデータを設定することを特徴とした監視制御システム。
【請求項２】
請求項１記載の監視制御システムにおいて、無線信号は、音と赤外線からなり、
操作端末は、さらに表示部を備え、
操作通知受信通知は、さらに状態データを含み、
機器端末の中央演算部は、赤外線による無線信号を無線信号受信部により受信すると、伝送部を用いて、状態データにある情報を設定して、コントローラの伝送部に操作通知受信通知を送信し、
コントローラの中央演算部は、伝送部により当該操作通知受信通知を受信すると、記憶手段において、操作通知受信通知を送信した前記機器端末の場所名称データに、操作通知を送信した前記操作端末の場所名称データと同じデータを設定し、
一方、機器端末の中央演算部は、無線信号受信部により音のみによる無線信号を受信すると、伝送部を用いて、状態データに、前記状態データに設定した情報と異なる情報を設定して、コントローラの伝送部に操作通知受信通知を送信し、
コントローラの中央演算部は、伝送部により、当該操作通知受信通知を受信すると、場所未確定機器通知を伝送部により、前記操作端末の伝送部に送信し、
当該操作端末の中央演算部は伝送部により受信した、当該場所未確定機器通知を表示部に表示することを特徴とした監視制御システム。
【請求項３】
請求項１記載の監視制御システムにおいて、操作端末の無線信号送信部から発信される無線信号は、当該操作端末の端末アドレスデータを含むものであり、
機器端末の中央演算部は、無線信号受信部により、無線信号による操作通知を受信すると、当該操作端末の端末アドレスデータを含む操作通知受信通知を、伝送部を用いて、コントローラの伝送部へ送信することを特徴とした監視制御システム。
【請求項４】
請求項１記載の監視制御システムにおいて、無線信号は、音と赤外線からなり、
機器端末の中央演算部は一定時間内に無線信号受信部により、複数受信した操作通知のうち赤外線による操作通知があり、音による操作通知が２個以上ある場合は、
当該赤外線による操作通知だけを、伝送部を用いてコントローラの伝送部に、操作通知受信通知として送信することを特徴とした監視制御システム。
【請求項５】
操作部と、中央演算部と、伝送部と、無線信号送信部と、を備える操作端末と、
無線信号受信部と、中央演算部と、伝送部と、を備える機器端末と、
中央演算部と、伝送部と、記憶手段と、を備るコントローラと、
からなる監視制御システムにおける前記機器端末の端末名称データ設定方法において、
前記記憶手段は、端末アドレスと、場所名称と機器名称とから成る端末名称と、を対応付けて記憶するものであり、
操作端末の操作部を操作することにより生成された操作通知は、当該操作端末の中央演算部を経て伝送部から、コントローラの伝送部に送信されるとともに、無線信号送信部から無線信号として発信され、
機器端末の中央演算部は、無線信号受信部により前記操作端末からの無線信号による前記操作通知を受信すると、伝送部を用いて、コントローラの伝送部に操作通知受信通知を送信し、
コントローラの中央演算部は、伝送部により、前記操作端末からの前記操作通知を受信し、当該受信から一定時間内に前記機器端末からの前記操作通知受信通知を受信すると、記憶手段において、前記操作通知受信通知を送信した前記機器端末の場所名称データに、前記操作通知を送信した前記操作端末のあらかじめ設定されていた場所名称データと同じデータを設定することを特徴とした監視制御システムの端末名称設定方法。
【発明の詳細な説明】
【技術分野】
【０００１】
本願発明は、監視制御システムにおける、機器端末の端末名称の設定に関するものである。
【背景技術】
【０００２】
従来から、特開平２−２７４０８９号公報（特許文献１）に示されるように、アドレスがそれぞれ設定される複数の端末器が信号線を介して中央制御装置に接続される遠隔監視制御システムにおいて、端末器のアドレスを設定するアドレス設定器は知られている。アドレス設定器は、端末器に付与する個別名称を入力する入力部と、入力された個別名称を表示する表示部と、入力された個別名称に一対一対応して端末器のアドレスデータを生成するデータ処理部と、データ処理部により生成されたアドレスデータをワイヤレス信号として端末器に送信する送信部とを設けているものであり、端末器に個別名称を付与し、各個別名称に端末器のアドレスを一対一対応させているから、アドレスを数値によらず個別名称によって識別することができ、人が認識しやすく設定の誤りが防止できるという利点を有するとしている。
【特許文献１】特開平２−２７４０８９号公報
【発明の開示】
【発明が解決しようとする課題】
【０００３】
しかしながら、上記従来例であるアドレス設定器は人がアドレス設定器を操作し、アドレスを入力する必要があった為、作業が煩雑であり、また、多くの端末器が存在する場合においては、数の多さにより誤登録も発生する可能性があった。
【０００４】
本願発明は、上記背景技術に鑑みて発明されたものであり、その課題は、端末器に自動で誤登録なく、名称を設定することができる監視制御システムを提供することである。
【課題を解決するための手段】
【０００５】
上記課題を解決するために、本願請求項１記載の発明では、操作端末と、機器端末と、コントローラと、からなる監視制御システムであって、操作端末は、操作部と、中央演算部と、伝送部と、無線信号送信部と、を備え、機器端末は、無線信号受信部と、中央演算部と、伝送部と、を備え、コントローラは、中央演算部と、伝送部と、記憶手段と、を備え、当該記憶手段は、端末アドレスと、場所名称と機器名称とから成る端末名称と、を対応付けて記憶するものであり、操作端末の操作部を操作することにより生成された操作通知は、当該操作端末の中央演算部を経て伝送部から、コントローラの伝送部に送信されるとともに、無線信号送信部から無線信号として発信され、機器端末の中央演算部は、無線信号受信部により前記操作端末からの無線信号による前記操作通知を受信すると、伝送部を用いて、コントローラの伝送部に操作通知受信通知を送信し、コントローラの中央演算部は、伝送部により、前記操作端末からの前記操作通知を受信し、当該受信から一定時間内に前記機器端末からの前記操作通知受信通知を受信すると、記憶手段において、前記操作通知受信通知を送信した前記機器端末の場所名称データに、前記操作通知を送信した前記操作端末のあらかじめ設定されていた場所名称データと同じデータを設定するようになしている。
【０００６】
又、本願請求項２記載の発明では、上記請求項１記載の監視制御システムにおいて、無線信号は、音と赤外線からなり、操作端末は、さらに表示部を備え、操作通知受信通知は、さらに状態データを含み、機器端末の中央演算部は、赤外線による無線信号を無線信号受信部により受信すると、伝送部を用いて、状態データにある情報を設定して、コントローラの伝送部に操作通知受信通知を送信し、コントローラの中央演算部は、伝送部により当該操作通知受信通知を受信すると、記憶手段において、操作通知受信通知を送信した前記機器端末の場所名称データに、操作通知を送信した前記操作端末の場所名称データと同じデータを設定し、一方、機器端末の中央演算部は、無線信号受信部により音のみによる無線信号を受信すると、伝送部を用いて、状態データに、前記状態データに設定した情報と異なる情報を設定して、コントローラの伝送部に操作通知受信通知を送信し、コントローラの中央演算部は、伝送部により、当該操作通知受信通知を受信すると、場所未確定機器通知を伝送部により、前記操作端末の伝送部に送信し、当該操作端末の中央演算部は伝送部により受信した、当該場所未確定機器通知を表示部に表示するようになしたことを特徴としている。
【０００７】
又、本願請求項３記載の発明では、上記請求項１記載の監視制御システムにおいて、操作端末の無線信号送信部から発信される無線信号は、当該操作端末の端末アドレスデータを含むものであり、機器端末の中央演算部は、無線信号受信部により、無線信号による操作通知を受信すると、当該操作端末の端末アドレスデータを含む操作通知受信通知を、伝送部を用いて、コントローラの伝送部へ送信するようになしたことを特徴としている。
【０００８】
又、本願請求項４記載の発明では、上記請求項１記載の監視制御システムにおいて、無線信号は、音と赤外線からなり、機器端末の中央演算部は一定時間内に無線信号受信部により、複数受信した操作通知のうち赤外線による操作通知があり、音による操作通知が２個以上ある場合は、当該赤外線による操作通知だけを、伝送部を用いてコントローラの伝送部に、操作通知受信通知として送信するようになしたことを特徴としている。
【０００９】
又、本願請求項５記載の発明では、操作部と、中央演算部と、伝送部と、無線信号送信部と、を備える操作端末と、無線信号受信部と、中央演算部と、伝送部と、を備える機器端末と、中央演算部と、伝送部と、記憶手段と、を備るコントローラと、からなる監視制御システムにおける前記機器端末の端末名称データ設定方法において、前記記憶手段は、端末アドレスと、場所名称と機器名称とから成る端末名称と、を対応付けて記憶するものであり、操作端末の操作部を操作することにより生成された操作通知は、当該操作端末の中央演算部を経て伝送部から、コントローラの伝送部に送信されるとともに、無線信号送信部から無線信号として発信され、機器端末の中央演算部は、無線信号受信部により前記操作端末からの無線信号による前記操作通知を受信すると、伝送部を用いて、コントローラの伝送部に操作通知受信通知を送信し、コントローラの中央演算部は、伝送部により、前記操作端末からの前記操作通知を受信し、当該受信から一定時間内に前記機器端末からの前記操作通知受信通知を受信すると、記憶手段において、前記操作通知受信通知を送信した前記機器端末の場所名称データに、前記操作通知を送信した前記操作端末のあらかじめ設定されていた場所名称データと同じデータを設定することを特徴としている。
【発明の効果】
【００１０】
本願請求項１記載の発明の監視制御システムにおいては、文字を入力することなく、簡単な操作、例えばボタン押下などで機器端末の場所名称を設定することができ、機器端末の個数分だけを入力操作することなく、複数個の機器端末の場所名称を同時に設定することができる。
【００１１】
又、本願請求項２記載の発明の監視制御システムにおいては、障害物に対して貫通性がない赤外線を信号に用いることで、届けば必ず同一の場所であると正しく判断できる。ただし赤外線は指向性があるため同一場所の全ての機器端末に届くか保障できない。これに対して指向性がない音を同時に信号として用いることで同一場所にある全ての機器端末に届けることができる。ただし音は障害物に対して貫通性があるため異なる場所にも届く可能性がある。したがって、赤外線のみ、又は赤外線及び音を受信した機器端末については、自動的に場所名称を設定し、これに対して音は届いたが赤外線は届いていない機器端末アドレスを操作端末上に表示することにより人に登録の判断させるようにする。以上より機械的に判断できるものは自動で登録され、人の判断を要するものは、手間が少なく登録でき、かつ誤登録を防ぐことができる。
【００１２】
又、本願請求項３記載の発明の監視制御システムにおいては、操作端末のアドレスを付加した無線信号を送信することで、複数個の操作端末がほぼ同時に操作された場合でも、コントローラは機器端末がどの操作端末の操作通知を受信したかがわかる。これにより、機器端末を正しく操作端末と対応付けることができるので間違わずに、自動的に場所名称を設定することができる。
【００１３】
又、本願請求項４記載の発明の監視システムにおいては、複数個の操作端末がほぼ同時に操作され、かつこれらの複数個の操作通知を機器端末が、受信した場合でも、機器端末は同一場所に設置された操作端末に対する操作通知受信通知のみをコントローラに送ることができる。
【００１４】
又、本願請求項５記載の発明の監視制御システムにおいては、文字を入力することなく、簡単な操作、例えばボタン押下などで機器端末の場所名称を設定することができ、機器端末の個数分だけを入力操作することなく、複数個の機器端末の場所名称を同時に設定することができる。
【発明を実施するための最良の形態】
【００１５】
図１〜５は、本願請求項１に対応した第一の実施形態である監視制御システムを示している。この監視制御システムは図１に示すように、操作端末１と機器端末２とコントローラ３からなり、操作端末１と機器端末２は同じ場所である部屋Ａに設置されている。本実施例では、機器端末２は２個設置されているが、２個に限られるものでない。
【００１６】
操作端末１の構成を、図２を用いて説明する。操作端末１は、伝送部４と中央演算部５と無線信号送信部６と操作部７とからなり、操作端末１の中央演算部５は、操作部７により操作が入力されると、伝送部４を用いてコントローラ３に操作通知を送信すると共に、無線信号送信部６を用いて機器端末２に操作通知を発信するものである。
【００１７】
次に、図３を用いて、機器端末２の構成を説明する。機器端末２は伝送部８と中央演算部９と無線信号受信部１０とからなり、機器端末２の中央演算部９は、無線信号受信部１０により操作端末１からの操作通知を受信すると、伝送部８を用いてコントローラ３に操作通知受信通知を送信するものである。
【００１８】
次に、図４を用いて、コントローラ３の構成を説明する。コントローラ３は中央演算部１１と伝送部１２と記憶手段１３とからなる。記憶手段１３には、図５に示されるように、端末アドレスと、場所名称と機器名称からなる端末名称と、を表形式で対応付けている、端末アドレス−端末名称対応テーブルが記憶されている。コントローラ３の中央演算部１１は、伝送部１２により操作端末１からの操作通知や、機器端末２からの操作通知受信通知を受信すると、操作通知から一定時間以内に受信した操作通知受信通知の機器端末２の場所名称データに操作通知を送信した操作端末２のあらかじめ設定された、場所名称データと同じデータを設定するものである。
【００１９】
次に、この実施形態における、動作例を、図１、６を用いて説明する。この監視制御システムは図６のように操作端末１−ａと２つの機器端末２−ａ、２−ａ'とコントローラ３から構成されており、操作端末１−ａと機器端末２−ａ、２−ａ'とは同じ場所である部屋Ａに設置されている。また、操作端末１−ａと機器端末２−ａ、２−ａ'とにはそれぞれ、コントローラ３の記憶手段１３に記憶されている、端末アドレス−端末名称対応テーブルにおいて、端末アドレス１−ａ、２−ａ、２−ａ'がそれぞれ登録されており、端末名称の場所名称は、端末アドレス１−ａについては、あらかじめ「部屋Ａ」と登録されているが、端末アドレス２−ａ、２−ａ'についてはどちらも登録されていない。
【００２０】
図６において、操作端末１−ａの操作部７に対して入力が実行されると、操作端末１−ａの中央演算部５は、伝送部４を用いてコントローラ３に操作通知を送信するとともに、無線信号送信部６を用いて機器端末２−ａ、２−ａ'に無線信号による操作通知を発信する。
【００２１】
発信された無線信号による操作通知は機器端末２−ａ、２−ａ'の無線信号受信部１０により受信され、機器端末２−ａ、２−ａ'の中央演算部９は伝送部８を用いてコントローラ３に自身の端末アドレス２−ａ、２−ａ'を含む操作通知受信通知を送信する。
【００２２】
コントローラ３の中央演算部１１は、伝送部１２により操作端末１−ａからの操作通知を受信し、一定時間内に、操作通知受信通知を受信する。当該操作通知受信通知には、機器端末２の端末アドレス２−ａが含まれており、コントローラ３の中央演算部１１は当該操作通知受信通知が機器端末２−ａから送信されたものと判断し、記憶手段１３に記憶されている、端末アドレス−端末名称対応テーブル内の機器端末２−ａの場所名称データに操作通知の操作端末１−ａの場所名称データ「部屋Ａ」と同じデータ「部屋Ａ」を設定する。
【００２３】
また、前記操作通知受信通知と異なる操作通知受信通知をコントローラ３の中央演算部１１は受信するが、当該操作通知受信通知には機器端末２の端末アドレス２−ａ'が含まれており、コントローラ３の中央演算部１１は当該操作通知受信通知が機器端末２−ａ'から送信されたものと判断し、記憶手段１３に記憶されている、端末アドレス−端末名称対応テーブル内の機器端末２−ａ'の場所名称データに操作通知の操作端末１−ａの場所名称データ「部屋Ａ」と同じデータ「部屋Ａ」を設定する。
【００２４】
したがって、この実施形態の監視制御システムにおいては、文字を入力することなく、簡単な操作、例えばボタン押下などで機器端末２の場所名称を設定することができ、機器端末２の個数分だけの場所名称を入力操作することなく、複数個の機器端末２の場所名称を同時に設定することができる。
【００２５】
図７、８は、本願請求項２に対応した第二の実施形態である監視制御システムを示している。なお、ここでは、上記第一の実施形態と相違する事項についてのみ説明し、その他の事項（構成、作用効果等）については、上記第一の実施形態と同様であるので、その説明を省略する。
【００２６】
この監視制御システムでは、操作端末１から機器端末２へ送信される無線信号は、音と赤外線とからなる。機器端末２がコントローラ３へ送信する操作通知受信通知は、操作通知を受信した機器端末２が操作通知を送信した操作端末１と同じ場所に設置されているかどうかが確定済みか、未確定かを表す状態データを含む。機器端末２の中央演算部９は、無線信号受信部１０により赤外線での操作通知を受信すると、状態データに例えば確定状態「確」を設定し、当該状態データを含む操作通知受信通知を伝送部８から送信する。
【００２７】
一方、機器端末の中央演算部９は、無線信号受信部１０により音での操作通知を受信したが、一定時間以内に赤外線での操作通知を受信しない場合は、状態データに例えば確定状態「未」を設定し、当該状態データを含む操作通知受信通知を伝送部８から送信する。
【００２８】
コントローラ３の中央演算部１１は、機器端末２の伝送部８から確定状態「未」を含む操作通知受信通知を受信すると、伝送部１２を用いて場所未確定機器通知を操作端末１に送信する。場所未確定機器通知は、操作通知受信通知での確定状態「未」となった機器端末２の端末アドレスデータからなる。
【００２９】
操作端末１は、図７のように第一の実施形態で示した図２の構成に加えて、表示部１４を備える。操作端末１の中央演算部５は、伝送部４により場所未確定機器通知を受信すると表示部１４に当該場所未確定機器通知を表示する。
【００３０】
次に、図８を用いて、この実施形態における動作を説明する。この監視制御システムは図８のように操作端末１−ａと機器端末２−ａ、２−ａ'、２−ｂとコントローラ３から構成されている。操作端末１−ａと機器端末２−ａ、２−ａ'は同じ場所である部屋Ａに設置されており、機器端末２−ｂは部屋Ａとは異なる場所である部屋Ｂに設置されている。また、操作端末１−ａと機器端末２−ａ、２−ａ'、２−ｂとにはそれぞれ、コントローラ３の記憶手段１３に記憶されている、端末アドレス−端末名称対応テーブルにおいて、端末アドレス１−ａ、２−ａ、２−ａ'、２−ｂがそれぞれ登録されており、端末名称の場所名称は、端末アドレス１−ａについてはあらかじめ「部屋Ａ」と登録されているが、端末アドレス２−ａ、２−ａ'、２−ｂについては、いずれも登録されていない。
【００３１】
図８において、操作端末１−ａが操作通知を発信するとき、操作端末１−ａの無線信号送信部は無線信号を音と赤外線の両方を同時に発信する。発信された無線信号のうち赤外線は操作端末１−ａ及び機器端末２−ａ、２−ａ'が設置されている部屋Ａにしか届かないが、音は機器端末２−ｂが設置されている部屋Ｂにまで部屋Ａと部屋Ｂを仕切っている壁を越えて届くものとする。ただし、赤外線は指向性を有するので、この実施形態においては、機器端末２−ａにより赤外線による操作通知は受信されるが、２−ａ'により受信されないものとする。
【００３２】
機器端末２−ａは操作端末１−ａと同じ部屋Ａに設置されているため、発信された赤外線による操作通知は機器端末２−ａにより受信され、機器端末２−ａの中央演算部９は、伝送部８を用いてコントローラ３に確定状態「確」がデータとして付加され、自身の端末アドレス２−ａを含む操作通知受信通知を送信する。
【００３３】
一方、送信された赤外線による操作通知は、赤外線の指向性のために機器端末２−ａ'により、受信されない。ただし音は指向性を有しないため、音による操作通知は機器端末２−ａ'により受信され、機器端末２−ａ'の中央演算部は、伝送部を用いてコントローラ３に確定状態「未」がデータとして付加された操作通知受信通知を送信する。
【００３４】
また、機器端末２−ｂは操作端末１−ａが設置された部屋Ａと異なる部屋Ｂに設置されているため、送信された赤外線による操作通知は部屋Ｂまで届かず機器端末２−ｂにより受信されない。ただし、送信された音による操作通知は部屋Ｂに届くので機器端末２−ｂにより受信され、機器端末２−ｂの中央演算部９は、伝送部８を用いてコントローラ３に確定状態「未」がデータとして付加された操作通知受信通知を送信する。
【００３５】
コントローラ３の中央演算部１１は、操作端末１−ａからの操作通知を受信し、一定時間内に操作通知受信通知を受信する。当該操作通知受信通知は確定状態「確」であり、機器端末２−ａの端末アドレス２−ａが含まれているので、コントローラ３の中央演算部１１は、記憶手段１３に記憶されている端末アドレス−端末名称対応テーブルの機器端末２−ａの場所名称データに操作端末１−ａの場所名称データ「部屋Ａ」と同じデータ「部屋Ａ」を設定する。
【００３６】
一方、前記操作通知受信通知と異なる２つの操作通知受信通知をコントローラ３の中央演算部１１は受信するが、当該操作通知受信通知は、確定状態「未」であり、機器端末２−ａ'、２−ｂの端末アドレス２−ａ'、２−ｂが含まれているので、コントローラ３の中央演算部１１は、伝送部１２により端末アドレス「２−ａ'」及び「２−ｂ」からなる場所未確定機器通知を操作端末１に送信する。操作端末１の中央演算部５は、伝送部４により場所未確定機器通知を受信すると表示部１４に場所未確定機器通知である端末アドレス「２−ａ'」及び「２−ｂ」を表示する。
【００３７】
ここで、表示部１４に表示されている端末アドレスを確認し、操作部７を操作することにより、場所名称設定通知を生成させ、当該通知は、操作端末１の中央演算部５を経て伝送部４からコントローラ３の伝送部１２に送信され、コントローラ３の中央演算部１１は伝送部１２により、前記場所変更通知を受信し、端末アドレス−端末名称対応テーブルの機器端末２−ａ'の場所名称データに操作端末１−ａの場所名称データ「部屋Ａ」と同じデータ「部屋Ａ」を設定するような構成としてもよい。
【００３８】
したがって、この実施形態の監視制御システムにおいては、障害物に対して貫通性がない赤外線を信号に用いることで、届けば必ず同一の場所であると正しく判断できる。ただし赤外線は指向性があるため同一場所の全ての機器端末２に届くか保障できない。これに対して指向性がない音を同時に信号として用いることで同一場所にある全ての機器端末２に届けることができる。ただし音は障害物に対して貫通性があるため異なる場所にも届く可能性がある。したがって、赤外線のみ、又は赤外線及び音を受信した機器端末２については、自動的に場所名称を設定し、これに対して音は届いたが赤外線は届いていない機器端末の端末アドレスを操作端末１の表示部１４に表示することにより人に登録の判断させるようにする。以上より機械的に判断できるものは自動で登録され、人の判断を要するものは、手間が少なく登録でき、かつ誤登録を防ぐことができる。
【００３９】
図９は、本願請求項３に対応した第三の実施形態である監視制御システムを示している。なお、ここでは、上記第一、第二の実施形態と相違する事項についてのみ説明し、その他の事項（構成、作用効果等）については、上記第一、第二の実施形態と同様であるので、その説明を省略する。
【００４０】
この監視制御システムでは、操作端末１から機器端末２へ発信される無線信号による操作通知は、操作端末１のアドレスデータを含む。機器端末２の中央演算部９は当該操作通知を無線信号受信部１０により受信すると、当該操作端末１の端末アドレスデータを含む操作通知受信通知を、伝送部８を用いてコントローラ３の伝送部１２に送信する。
【００４１】
この実施形態における動作を、図９を用いて説明する。この監視制御システムは図９のように、２つの操作端末１−ａ、１−ｂと機器端末２−ａとコントローラ３から構成されている。操作端末１−ａと機器端末２−ａは、同じ場所である部屋Ａに設置されており、操作端末１−ｂは部屋Ａとは異なる場所である部屋Ｂに設置されている。また、操作端末１−ａ、１−ｂと機器端末２−ａとにはそれぞれ、コントローラ３の記憶手段１３に記憶されている、端末アドレス−端末名称対応テーブルにおいて、端末アドレス１−ａ、１−ｂ、２−ａがそれぞれ登録されており、端末名称の場所名称は、端末アドレス１−ａにつていはあらかじめ「部屋Ａ」、端末アドレス１−ｂについては「部屋Ｂ」と登録されているが、端末アドレス２−ａについては登録されていない。
【００４２】
人により操作端末１−ａと操作端末１−ｂがほぼ同時に操作されたとき、操作端末１−ａ中央演算部は、操作通知に自身の端末アドレス１−ａを付加して、無線信号送信部６により操作通知を発信し、操作端末１−ｂも同様に、操作通知に自身の端末アドレス１−ｂを付加して、無線信号送信部６により操作通知を発信する。
【００４３】
機器端末２−ａは操作端末１−ａと場所である部屋Ａに設置されているので、操作端末１−ａにより送信された操作通知は機器端末２−ａにより受信される。また、機器端末２−ａは操作端末１−ｂと異なる場所である部屋Ａに設置されているため、操作端末１−ｂにより送信された操作通知は機器端末２−ａにより受信されない。
【００４４】
機器端末２−ａの中央演算部９は、操作通知を受信すると、含まれている操作端末１−ａの端末アドレス１−ａに自身の端末アドレス２−ａをさらに付加させ、操作通知受信通知を送信する。
【００４５】
コントローラ３の中央演算部１１は、伝送部１２より、操作端末１−ａ及び１−ｂからの操作通知を受信し、一定時間内に操作通知受信通知を受信する。当該操作通知受信通知は、操作端末１−ａの端末アドレス１−ａ及び機器端末２−ａの端末アドレス２−ａが含まれているので、コントローラ３の中央演算部１１は、記憶手段１３に記憶されている、端末アドレス−端末名称対応テーブルの機器端末２−ａの場所名称データに操作端末１−ａの場所名称データ「部屋Ａ」と同じデータ「部屋Ａ」を設定する。
【００４６】
したがって、この実施形態の監視制御システムにおいては、操作端末のアドレスを付加した無線信号を送信することで、複数個の操作端末１がほぼ同時に操作された場合でも、コントローラ３は機器端末２がどの操作端末１の操作通知を受信したかがわかる。これにより、機器端末２を正しく操作端末１と対応付けることができるので間違わずに自動的に場所名称を付けることができる。
【００４７】
図１０は、本願請求項４に対応した第四の実施形態である監視制御システムを示している。なお、ここでは、上記第一、第二、第三の実施形態と相違する事項についてのみ説明し、その他の事項（構成、作用効果等）については、上記第一、第二、第三の実施形態と同様であるので、その説明を省略する。
【００４８】
この実施形態における動作を、図１０を用いて説明する。この監視制御システムは、図１０のように２つの操作端末１−ａ、１−ｂと機器端末２−ａとコントローラ３から構成されている。また、操作端末１−ａと機器端末２−ａは同じ場所である部屋Ａに設置されており、操作端末１−ｂは部屋Ａと異なる場所である部屋Ｂに設置されている。また、操作端末１−ａ、１−ｂと機器端末２−ａとにはそれぞれ、コントローラ３の記憶手段１３に記憶されている、端末アドレス−端末名称対応テーブルにおいて、端末アドレス１−ａ、１−ｂ、２−ａがそれぞれ登録されており、端末名称の場所名称は、端末アドレス１−ａについてはあらかじめ「部屋Ａ」、端末アドレス１−ｂについては「部屋Ｂ」と登録されているが、端末アドレス２−ａについては登録されていない。
【００４９】
操作通知として操作端末１−ａ、１−ｂから送信される無線信号のうち、赤外線はそれぞれ操作端末１−ａ、１−ｂと同一の場所である部屋Ａ、Ｂ内にしか届かないが、音による無線信号は部屋Ａと部屋Ｂを仕切っている壁を越えて届くものとする。
【００５０】
人により操作端末１−ａと操作端末１−ｂがほぼ同時に操作されたとき、操作端末１−ａの中央演算部５は、操作通知に自身の端末アドレスデータ１−ａを付加して、無線信号送信部６により、音と赤外線とによる操作通知を送信する。同様に、操作端末１−ｂの中央演算部５は、操作通知に自身の端末アドレス１−ｂを付加して、無線信号送信部６により、音と赤外線とによる操作通知を送信する。
【００５１】
操作端末１−ａにより送信された音と赤外線による操作通知は同じ場所である部屋Ａに設置されている機器端末２−ａにより受信される。一方、操作端末１−ｂにより送信された操作通知は１−ｂが設置されている部屋Ｂと異なる場所である部屋Ａに設置された機器端末２−ａにより音による操作通知は受信されるが、赤外線による操作通知は受信されない。
【００５２】
機器端末２−ａの中央演算部９は、一定時間内に受信した２個の操作通知のうち赤外線による操作通知を発信した操作端末１−ａに基づく操作通知受信通知をコントローラに送信し、音のみによる操作通知を発信した操作端末１−ｂに基づく操作通知受信通知をコントローラ３に送信しない。
【００５３】
したがって、この実施形態の監視制御システムにおいては、複数個の操作端末１がほぼ同時に操作され、かつこれらの複数個の操作通知を機器端末２が、受信した場合でも、機器端末２は同一場所に設置された操作端末１に対する操作通知受信通知のみをコントローラ３に送ることができる。これによりコントローラ３は異なる場所の操作端末１に不要な場所未確定機器通知を送信せずにすみ、前記操作端末１も不要な場所未確定機器通知を表示せずにすむ。これにより誤表示による誤登録を防ぐことができる。
【図面の簡単な説明】
【００５４】
【図１】本願発明の第一の実施形態である監視制御システムを示すシステム構成図。
【図２】同監視制御システムにおける操作端末を示すブロック図。
【図３】同監視制御システムにおける機器端末を示すブロック図。
【図４】同監視制御システムにおけるコントローラを示すブロック図。
【図５】同監視制御システムにおける端末アドレス−端末名称対応テーブルを示す説明図。
【図６】同監視制御システムにおける動作図。
【図７】本願発明の第二の実施形態である監視制御システムにおける操作端末を示すブロック図。
【図８】同監視制御システムにおける動作図。
【図９】本願発明の第三の実施形態である監視制御システムにおける動作図。
【図１０】本願発明の第四の実施形態である監視制御システムにおける動作図。
【符号の説明】
【００５５】
１  操作端末
２  機器端末
３  コントローラ
４  操作端末における伝送部
５  操作端末における中央演算部
６  操作端末における無線信号送信部
７  操作端末における操作部
８  機器端末における伝送部
９  機器端末における中央演算部
１０  機器端末における無線信号受信部
１１  コントローラにおける中央演算部
１２  コントローラにおける伝送部
１３  コントローラにおける記憶手段
１４  操作端末における表示部
【図１】
2010028421.tif 000003
【図２】
2010028421.tif 000004
【図３】
2010028421.tif 000005
【図４】
2010028421.tif 000006
【図５】
2010028421.tif 000007
【図６】
2010028421.tif 000008
【図７】
2010028421.tif 000009
【図８】
2010028421.tif 000010
【図９】
2010028421.tif 000011
【図１０】
2010028421.tif 000012